【事件の表示】
　商願２００１−５６１８６拒絶査定不服審判事件について、次のとおり審決する。
【結　論】
　本件審判の請求は、成り立たない。
【理　由】
１　本願商標
　本願商標は、別掲（１）のとおりの構成よりなり、第９類に属する願書記載の商品を指定商品として、平成１３年６月２０日に登録出願されたものであるが、その後、指定商品については、同１５年２月１０日付けの手続補正書によって、第９類「レコード，電子応用機械器具及びその部品，遊園地用機械器具，映写フィルム，スライドフィルム，スライドフィルム用マウント，録画済みビデオディスク及びビデオテープ，家庭用テレビゲームおもちゃ用のゲームプログラムを記憶させたＲＯＭカートリッジ・磁気ディスク・磁気テープ・磁気カード・光ディスク・その他の記録媒体，その他の家庭用テレビゲームおもちゃ」、第１４類「キーホルダー」、第１６類「印刷物，文房具類（「昆虫採集用具」を除く。）」、第２５類「履物，仮装用衣服，運動用特殊衣服，運動用特殊靴」及び第３４類「喫煙用具（貴金属製のものを除く。）」と補正されたものである。　 
　
２　引用商標
　原査定において、本願の拒絶の理由に引用した登録商標は以下の８件である。
（１）登録第５１３０１２号商標（以下「引用商標１」という。）は、「ＮＯＡＨ」及び「ノア」の文字を上下二段に書してなり、昭和３２年５月７日登録出願、第６１類「傘、杖、履物及びその附属品」を指定商品として、同３３年２月３日に設定登録され、その後３回にわたり、商標権の存続期間の更新登録がなされたものである。
（２）登録第２５８１７９４号商標（以下「引用商標２」という。）は、上記（１）と同じ構成よりなり、平成３年８月１３日登録出願、第２４類「おもちゃ、人形、娯楽用具、運動具、釣り具、楽器、演奏補助品、蓄音機、レコード、これらの部品及び附属品」と指定商品として、同５年９月３０日に設定登録され、その後、同１５年１月１５日に指定商品中「おもちゃ，人形，囲碁用具，将棋用具，骨ぱい類，手品用具」を取り消す旨の確定登録がなされ、同１５年４月３０日に商標権の存続期間の更新登録、同１５年４月３０日に第６類「アイゼン，カラビナ，ハーケン，金属製飛び込み台，金属製あぶみ，拍車」、第８類「水中ナイフ，水中ナイフ保持具，ピッケル」、第９類「スロットマシン，ウエイトベルト，ウエットスーツ，浮袋，運動用保護ヘルメット，エアタンク，水泳用浮き板，レギュレーター，電子楽器用自動演奏プログラムを記憶させた電子回路及びＣＤ―ＲＯＭ，レコード，メトロノーム」、第１５類「楽器，演奏補助品，音さ」、第１８類「乗馬用具」、第１９類「飛び込み台（金属製のものを除く。）」、第２０類「スリーピングバッグ」、第２１類「コッフェル」、第２２類「ザイル，登山用又はキャンプ用のテント」、第２４類「ビリヤードクロス」、第２５類「運動用特殊衣服，運動用特殊靴（「乗馬靴」を除く。），乗馬靴」、第２７類「体操用マット」、第２８類「遊戯用器具，ビリヤード用具，運動用具，釣り具」及び第３１類「釣り用餌」とする書換登録がなされたものである。
（３）登録第４３９６６００号商標（以下「引用商標３」という。）は、上記（１）と同じ構成よりなり、平成１１年９月１日登録出願、第３４類「たばこ，喫煙用具（貴金属製のものを除く。），マッチ」を指定商品として、同１２年６月３０日に設定登録されたものである。
（４）登録第１８６４２２０号商標（以下「引用商標４」という。）は、「ＮＯＡＨ」の文字を書してなり、昭和５８年８月１３日登録出願、第１３類「手動利器、手動工具、金具（他の本類に属するものを除く）」を指定商品として、同６１年５月３０日に設定登録され、その後、平成８年５月３０日に商標権の存続期間の更新登録がなされたものである。
（５）登録第２４５８８９２号商標（以下「引用商標５」という。）は、別掲（２）のとおりの構成よりなり、昭和５８年８月１８日登録出願、第９類「産業機械器具、動力機械器具（電動機を除く）風水力機械器具、事務用機械器具（電子応用機械器具に属するものを除く）その他の機械器具で他の類に属さないもの、これらの部品および附属品（他の類に属するものを除く）機械要素」を指定商品として、平成４年９月３０日に設定登録され、その後、平成１４年１０月２２日に商標権の存続期間の更新登録、同１６年２月２５日に第７類「化学機械器具」とする書換登録がなされたものである。　
（６）登録第２１３４４７２号商標（以下「引用商標６」という。）は、「ＮＯＡ」の文字を書してなり、昭和５７年８月２６日登録出願、第１１類「電子計算機用プログラムを記憶させたフロツピイデイスク」を指定商品として、平成１年４月２８日に設定登録され、その後、同１１年５月１１に商標権の存続期間の更新登録がなされたものである。
（７）登録第２６０６１５１号商標（以下「引用商標７」という。）は、上記（６）と同じ構成よりなり、昭和６２年１月２９日登録出願、第２６類「印刷物、その他本類に属する商品」を指定商品として、平成５年１２月２４日に設定登録され、その後、同１６年１月６日に商標権の存続期間の更新登録、同１６年５月１２日に第１６類「印刷物，書画，写真」とする書換登録がなされたものである。　                 
（８）登録第２３６１２７７号商標（以下「引用商標８」という。）は、「ノア」及び「ＮＯＡ」の文字を上下二段に書してなり、昭和６２年１０月２８日登録出願、第２５類「紙類、文房具類」を指定商品として、平成３年１２月１１日に設定登録され、その後同１３年１２月１１日に商標権の存続期間の更新登録、同１４月１月９日に第１６類「紙類，文房具類」とする書換登録がなされたものである。　
 
３　当審の判断
　本願商標は、別掲（１）のとおり、黒塗り四角形内に白抜きの「ＰＲＯ‐ＷＲＥＳＴＬＩＮＧ」の文字を書し、その右部に旧約聖書の登場人物等の意味を有する語として一般的に親しまれている「ノア」を英語に表した「ＮＯＡＨ」の文字を四角形内に書してなるところ、かかる構成にあっては、「ＰＲＯ‐ＷＲＥＳＴＬＩＮＧ」の文字部分と「ＮＯＡＨ」の文字部分とは、視覚上分離して看取され、両文字部分が常に一体不可分にのみ把握しなければならない特段の理由も見出し難いものである。
　また、その構成中の「ＰＲＯ‐ＷＲＥＳＴＬＩＮＧ」の文字は、その指定商品との関係において、プロレスリングを内容とする商品、若しくは、プリレスリング用の商品を認識させるものであって、商品の品質（内容）等を表したものと認識させ、自他商品の識別力が極めて弱いものである。
　そうすると、本願商標は、その構成中の「ＮＯＡＨ」の文字部分を捉えて、これより生ずる称呼をもって取引にあたる場合も決して少なくないものと判断するのが相当である。
　してみれば、本願商標は、その構成中の「ＮＯＡＨ」の文字部分に相応して、「ノア」の称呼及び旧約聖書の登場人物名である「ノア」の観念をも生ずるものである。
　一方、引用商標１ないし５は、前記２及び別掲（２）のとおりであるから、それぞれの構成文字に相応して、「ノア」の称呼及び旧約聖書の登場人物名である「ノア」の観念を生ずるものである。
　次に、引用商標６ないし８は、前記２のとおりであるから、「ノア」の称呼が生ずること明らかである。　
　してみれば、本願商標と引用商標１ないし５商標とは、外観において相違することを考慮しても、「ノア」の称呼及び旧約聖書の登場人物名である「ノア」の観念を共通にする類似の商標であり、また、引用商標５ないし８とは、「ノア」の称呼を共通にする類似の商標であって、かつ、その指定商品についても、引用商標１ないし８の指定商品は、本願商標の指定商品を含むものである。
　したがって、本願商標が商標法第４条第１項第１１号に該当するとして、本願を拒絶した原査定は妥当であって、取り消すことはできない。
　よって、結論のとおり審決する。